(57)【要約】【課題】髪の毛などの異物をヘアキャッチャーの内部に収集することが容易なヘアキャッチャーを提供すること。【解決手段】周囲から洗い場排水口１０１ａに向かう水が流入する本体部１０を有するヘアキャッチャーであって、本体部１０の周縁部から上方向へ突出するとともに、本体部１０の周縁部に沿って延びる流入遮蔽壁１１１と、流入遮蔽壁１１１から本体部１０の外方へ延び、水が周縁部の一方向に流れるように水の流れを規制する一方向流通壁１１２と、を有するヘアキャッチャーである。【選択図】図３
2018053695.tif 000002
【特許請求の範囲】
【請求項１】
周囲から排水口に向かう水が流入する本体部を有するヘアキャッチャーであって、
前記本体部の周縁部から上方向へ突出するとともに、前記本体部の周縁部に沿って延びる流入遮蔽壁と、
前記流入遮蔽壁から前記本体部の外方へ延び、水が周縁部の一方向に流れるように水の流れを規制する一方向流通壁と、を有するヘアキャッチャー。
【請求項２】
前記流入遮蔽壁及び前記一方向流通壁は、前記本体部から突出する把手を構成する請求項１に記載のヘアキャッチャー。
【請求項３】
前記本体部は、複数の開口を有し、前記本体部に流入した水の一部を前記本体部の外へ排水する排水部を有し、
前記一方向流通壁の壁面は、前記排水部において流れる水による旋回流の旋回方向に沿って延びる
請求項１又は請求項２に記載のヘアキャッチャー。
【請求項４】
ヘアキャッチャーは、洗い場と浴槽とを有する浴室の洗い場排水口に配置され、
前記一方向流通壁は、前記洗い場と前記洗い場排水口とを仕切るように配置されている請求項１〜請求項３のいずれかに記載のヘアキャッチャー。
【請求項５】
前記流入遮蔽壁及び前記一方向流通壁は、複数設けられている請求項１〜請求項４のいずれかに記載のヘアキャッチャー。
【発明の詳細な説明】
【技術分野】
【０００１】
本発明は、へアキャッチャーに関する。
【背景技術】
【０００２】
従来、浴室や洗面台の排水トラップには、排水トラップから連続する排水管に髪の毛や小さなゴミ等が流れて排水管が詰まらないように、ヘアキャッチャーが配置されることが知られている。髪の毛は細く長いため、ヘアキャッチャーに絡まったり挟まったりするので、ヘアキャッチャーの清掃や髪の毛の補集に手間がかかることがある。そこで、浴室の洗い場からの排水を立壁部、流入部を介して旋回状にヘアキャッチャー内部へ導き、髪の毛をまとめる技術が提案されている（例えば、特許文献１参照）。
【０００３】
また、排水口カバーの脚部へ向かって延びる起立面からなるガイドを有する把手構造が知られている（例えば、特許文献２参照）。
【先行技術文献】
【特許文献】
【０００４】
【特許文献１】特許第４７７７３７４号公報
【特許文献２】特許第４８４２０７６号公報
【発明の概要】
【発明が解決しようとする課題】
【０００５】
特許文献１に開示されたヘアキャッチャーの内部には、旋回流が発生するように構成されているものの、ヘアキャッチャーが設置される排水枡内には、浴室洗い場からの排水が様々な方向から流入し、立壁部の外側には乱流が発生し一様な水の流れができない。そのため排水マス内に流入した髪の毛などの異物がヘアキャッチャー内に効率的に流れ込まず排水マス内に留まり、清掃時の手間が増える恐れがある。
【０００６】
また、特許文献２に開示されたヘアキャッチャーでは、把手部への髪の絡まりを防止する効果が得られるが、特許文献１に開示されたヘアキャッチャーと同様に排水マス内の水の流れは乱流となり、効果的に髪をヘアキャッチャーの内部に収集することができない。
【０００７】
本発明は、髪の毛などの異物をヘアキャッチャーの内部に収集することが容易なヘアキャッチャーを提供することを目的とする。
【課題を解決するための手段】
【０００８】
上記目的を達成するため本発明は、周囲から前記（例えば、後述の洗い場排水口１０１ａ）に向かう水が流入する本体部（例えば、後述の本体部１０）を有するヘアキャッチャー（例えば、後述のヘアキャッチャー１）であって、前記本体部の周縁部から上方向へ突出するとともに、前記本体部の周縁部に沿って延びる流入遮蔽壁（例えば、後述の流入遮蔽壁１１１）と、前記流入遮蔽壁から前記本体部の外方へ延び、水が周縁部の一方向に流れるように水の流れを規制する一方向流通壁（例えば、後述の一方向流通壁１１２）と、を有するヘアキャッチャーを提供する。
【０００９】
また、前記流入遮蔽壁及び前記一方向流通壁は、前記本体部から突出する把手を構成することが好ましい。
【００１０】
また、前記本体部は、複数の開口（例えば、後述の排水開口２３）を有し、前記本体部に流入した水の一部を前記本体部の外へ排水する排水部（例えば、後述の排水部２）を有し、前記一方向流通壁の壁面は、前記排水部において流れる水による旋回流の旋回方向に沿って延びることが好ましい。
【００１１】
また、ヘアキャッチャーは、洗い場（例えば、後述の洗い場１０１）と浴槽（例えば、後述の浴槽１０２）とを有する浴室（例えば、後述の浴室１００）の洗い場排水口（例えば、後述の洗い場排水口１０１ａ）に配置され、前記一方向流通壁は、前記洗い場と前記洗い場排水口とを仕切るように配置されていることが好ましい。
【００１２】
また、前記流入遮蔽壁及び前記一方向流通壁は、複数設けられていることが好ましい。
【発明の効果】
【００１３】
本発明によれば、髪の毛などの異物をヘアキャッチャーの内部に収集することが容易なヘアキャッチャーを提供するができる。
【図面の簡単な説明】
【００１４】
【図１】本実施形態のヘアキャッチャーが設けられる浴室を示す平面図である。
【図２】本実施形態の排水トラップを示す斜視図である。
【図３】本実施形態のヘアキャッチャーを示す斜視図である。
【図４】本実施形態のヘアキャッチャーを示す平面図である。
【図５】本実施形態のヘアキャッチャーを示す側面図である。
【図６】本実施形態のヘアキャッチャーの縦リブを示す断面図であり、（ａ）図は図５のＡ−Ａ線、（ｂ）図は図５のＢ−Ｂ線に沿って切断した断面図である。
【図７】他の実施形態に係るヘアキャッチャーの斜視図である。
【発明を実施するための形態】
【００１５】
以下、本発明の一実施形態について、図面を参照しながら詳細に説明する。
図１は、本実施形態のヘアキャッチャー１が設けられる浴室１００を示す平面図である。浴室１００は、洗い場１０１及び浴槽１０２を有し、それぞれに排水口としての洗い場排水口１０１ａ、浴槽排水口１０２ａが設けられている。
浴槽１０２は、浴室の一方に配置される湯水を貯留可能な容器である。
浴槽排水口１０２ａは、浴槽１０２の底面の最も低い位置に設けられる排水孔であり、浴槽１０２の下部に配置される排水管１０２ｂ（図２参照）に連続している。
【００１６】
図２は、ヘアキャッチャー１が配置される洗い場排水口１０１ａの斜視図である。洗い場排水口１０１ａは、洗い場１０１の浴槽１０２に隣接する側で最も低い位置に設けられ、排水管１０１ｂに連続している。洗い場排水口１０１ａは、排水枡１２０と、排水トラップ１３０とにより構成される。
排水枡１２０は、洗い場１０１の床材が下方に窪んで形成される凹部である。排水枡１２０は、排水管１０１ｂに繋がる底部開口１２１及び、底部開口１２１の周囲に配置されるフランジ部１２２を有する。なお、図示を省略しているが、排水枡１２０は、通常着脱可能な蓋により覆われている。
排水トラップ１３０は、排水枡１２０の下方に連結され、一方が浴槽１０２から延びる排水管１０２ｂに、他方が洗い場排水口１０１ａから延びる排水管１０１ｂに連結される。排水トラップ１３０は、浴槽１０２及び洗い場１０１から排水される水を補集して、洗い場１０１から延びる排水管１０１ｂを通して排水するように構成される。
【００１７】
図３は、ヘアキャッチャー１を示す斜視図であり、図４は、平面図である。へアキャッチャーは、排水枡１２０に設けられる本体部１０と、把手１１と、を有する。
本体部１０は、下方に向けて徐々に縮径し、内側面が段差なく傾斜する略円錐形状で、頂部が平坦なすり鉢状の形状をしている。本体部１０は、上部に形成される略円形の開口部１０ａを有し、排水枡１２０のフランジ部１２２に係止される。本体部１０には、洗い場１０１の周囲から洗い場排水口１０１ａに向かう水が流入する。
把手１１は、本体部１０の上端から上方に延び、外周方向に屈曲する。
【００１８】
把手１１は、具体的には、本体部１０の上端部から上方へ突出しており、流入遮蔽壁１１１と、一方向流通壁１１２と、水平摘まみ壁１１３とを有している。流入遮蔽壁１１１は、図３、図４に示すように、本体部１０の上端部の周縁部から上方向へ突出するとともに、本体部１０の周縁部に沿って、本体部１０の周縁部の全周のうちの３分の１程度に渡って延びている。流入遮蔽壁１１１は、図２に示すように、洗い場と洗い場排水口とを仕切るように配置されている。
【００１９】
一方向流通壁１１２は、図４に示す平面視で、時計回り方向における流入遮蔽壁１１１の上流端部に一体に成形されて設けられている。一方向流通壁１１２は、上下方向における流入遮蔽壁１１１の幅と同一の幅を上下方向に有すると共に、流入遮蔽壁１１１の当該上流側端部から本体部１０の外方へ延びている。より具体的には、後述の縦リブ２１は、本体部１０の内面に沿う下方向（図４の仮想線Ｉ１参照）に対して一の側に傾斜しているのであるが、一方向流通壁１１２も、同様に、本体部１０の内面に沿う下方向（図４の仮想線Ｉ１参照）に対して一の側に傾斜している。より詳細には、図４に示す平面視で、一方向流通壁１１２は、時計回り方向に凸となるように僅かに湾曲している。湾曲した一方向流通壁１１２の面を延長させると、図４において一方向流通壁１１２は、本体部１０の底面部３１の中心へ向って延びておらず、本体部１０の中心よりも斜め右上に位置している水抜き孔３３へ向って延びている。
【００２０】
水平摘まみ壁１１３は、図４に示す平面視で、時計回り方向における流入遮蔽壁１１１の上流端部から、下流側の所定の位置に至るまでの部分と、一方向流通壁１１２の上端部とに、一体に成形されて設けられている。水平摘まみ壁１１３は、流入遮蔽壁１１１の上端部及び一方向流通壁１１２の上端部から、水平に本体部１０の外方へ延びている。水平摘まみ壁１１３は、ヘアキャッチャー１が洗い場排水口１０１ａから取り外されるときに、人の指で摘ままれて持上げられ、これによりヘアキャッチャー１は持上げられる。
【００２１】
図３及び４に示すように、本体部１０は、貯水部３と、排水部２と、導水部４と、を有する。
貯水部３は、本体部１０の下方に配置され、本体部１０に流入した水の一部を一時的に貯水する部分である。貯水部３は、底面部３１と、側面部３２と、水抜き孔３３と、を有する。
底面部３１は、本体部１０の開口部１０ａに対向する平坦な面であり、上方に配置される開口部１０ａの面積よりも面積が小さい。また、貯水部３において最も面積が小さい。
側面部３２は、底面部３１の周囲と貯水部３の上端とを結ぶ傾斜する面である。
水抜き孔３３は、側面部３２の下端部に互いに対向して２つ設けられる貫通孔である。
【００２２】
排水部２は、本体部１０の上部、すなわち貯水部３の上端と本体部１０の上端との間に配置される。排水部２は、本体部１０上部の側面に沿って形成され、リブ部２０と、複数の開口としての排水開口２３と、を有する。
【００２３】
リブ部２０は、格子状に配置される細枠で形成され、縦リブ２１及び横リブ２２を有する。
【００２４】
横リブ２２は、排水部２の上下方向に間隔を空けて配置される複数のリング状の骨組み部分である。横リブ２２は、平坦な面を有し、この平坦な面が本体部１０の内周面に沿うように配置されている。
【００２５】
縦リブ２１は、縦長の板状の部材であり、所定幅の薄い平面部２１１と、以下に説明する突出部２４とを有する。
縦リブ２１は、排水部２の上方から下方へ延び、互いに隣接して設けられる複数の骨組み部分である。縦リブ２１は、図４に示すように、本体部１０の円周に沿った周方向の一方側に傾斜している。縦リブ２１は、本体部１０の内面を図４の時計回り方向に並んで配置され、水流を旋回する方向Ｓに導いている。また、同時に、縦リブ２１は、本体部１０の中心から延びる径方向の仮想線（図４の仮想線Ｉ１参照）に対して一の側に傾斜している。具体的には、縦リブ２１は、本体部１０の上端（排水部２の上端）と貯水部３の上部とを結ぶように直線状に延び、径方向に対して斜めに傾斜するように配置される。
【００２６】
縦リブ２１は、貯水部３の内面と縦リブ２１の内面とが滑らかに段差なく連続するように配置されている。また、これら複数の縦リブ２１は、本体部１０の内側面全体に形成され、互いに等間隔に配置されている。すなわち、本体部１０が下方に向かって徐々に縮径しているため、縦リブ２１は、本体部１０（排水部２）の上端側では、互いに隣接する縦リブ２１同士の間隔が広くなり、貯水部３の上端側では、互いに隣接する縦リブ２１同士の間隔が狭くなると同時に、隣接する縦リブ同士の間隔は、周方向に沿って均等になるように配置されている。
【００２７】
縦リブ２１は、貯水部３に連結される部分においては、縦リブ２１が延びる方向に沿って貯水部３と段差がないように形成されている。
【００２８】
図５はヘアキャッチャー１を示す側面図である。図６（ａ）は図５のＡ−Ａ線断面図であり、横リブ２２がある位置で切断した断面である。図６（ｂ）は図５のＢ−Ｂ線断面図であり、横リブ２２のない位置で切断した断面である。
【００２９】
図３、４及び図６（ａ）、図６（ｂ）に示すように、突出部２４は、縦リブ２１の長手方向に沿って本体部１０の内面側に突出する突部である。突出部２４は、縦リブ２１の幅方向の長さよりも短い長さで内面側へ突出する。突出部２４は、縦リブ２１の平面部２１１から本体部１０の内面側に向かって湾曲しながら突出する。
突出部２４は、縦リブ２１の幅方向の一方の端部に配置され、水流の旋回する方向Ｓにおける遠心方向外側（旋回する方向Ｓの下流側）の縁部に沿って配置される。
突出部２４は、排水部２の上端から貯水部３の上部まで連続して延びる。より詳細には、図３に示すように、突出部２４は、排水部２の最も貯水部３側の排水開口２３の下端部よりもわずかに下方に延出するように形成されている。また、突出部２４は、本体部１０の上端（排水部２の上端）にある横リブ２２まで延出しており、本体部１０の上端を超えない位置に形成される。
【００３０】
排水開口２３は、リブ部２０の間に形成される複数の開口である。排水開口２３を通じて、洗い場１０１に排水された水が本体部１０の内側に流入するとともに、本体部１０側から外側へ流出する。
【００３１】
導水部４は、図３及び図５に示すように、本体部１０の外面側で、排水部２と貯水部３の間の境界近傍に設けられる。詳細には、導水部４は、本体部１０の外面における貯水部３の上端に対応する位置に設けられる。導水部４が設けられる部分に対応する本体部１０の内面は、滑らかに段差なく形成されている。導水部４は、受け面４１と、連結部４２と、導水開口４３と、を有する。
【００３２】
受け面４１は、本体部１０の外面で貯水部３の上端に対応する位置から外側に突出する凸部であり、貯水部３の外側に本体部１０の外周方向に沿って設けられる。受け面４１は、略水平方向に突出する。
【００３３】
連結部４２は、図５に示すように、受け面４１と本体部１０の外面とを繋ぐ略三角形の部分である。連結部４２は、三角形の傾斜する一方の辺が本体部１０の外面、すなわち縦リブ２１の外面側に連続し、他方の辺が受け面４１に連続し、受け面４１側の辺の遠位端部と縦リブ側の辺の遠位端部とを結ぶ辺が三角形の底辺となっている。この底辺（受け面４１の遠位端部から縦リブ２１の外面へ延びる辺）と、縦リブ２１の外面とがなす角度は、鈍角θである。
【００３４】
導水開口４３は、受け面４１上で隣り合う縦リブ２１と縦リブ２１との間に形成される空間であり、排水開口２３に連続している。
【００３５】
次に、以上のヘアキャッチャー１の使用の状態について説明する。
浴室１００の洗い場１０１で湯水を使い、例えば洗髪をすると、抜けた髪の毛が水流とともに洗い場排水口１０１ａに向けて流れてくる。水は、洗い場の最も低い位置に配置される排水枡１２０へ集まり、排水枡１２０の底部開口１２１へと落ちていく。排水枡１２０の底部開口１２１には、その周囲のフランジ部１２２に係止されてヘアキャッチャー１が、配置されている。流れ落ちた水の一部は、排水部２の排水開口２３を通ってさらに下方の排水トラップ１３０へ落ち、排水管１０１ｂを通じて排水される。
【００３６】
洗い場１０１で洗い場排水口１０１ａに向かう水の一部は、ヘアキャッチャー１の本体部１０に流入する。この際、洗い場排水口１０１ａと洗い場１０１との間に配置された流入遮蔽壁１１１によって、洗い場１０１側から洗い場排水口１０１ａへ、即ち、図４の右上から直接水が流入することが阻害される。そして、図４の右上から流れてきて流入遮蔽壁１１１に衝突した水は、流入遮蔽壁１１１に沿って本体部１０の時計回り方向と、反時計回り方向とに分かれて流れる。時計回り方向へ流れた水は、流入遮蔽壁１１１に沿って流れ、時計回り方向における流入遮蔽壁１１１の端部の位置から排水部２へ流入する。また、反時計回り方向へ流れた水は、流入遮蔽壁１１１に沿って流れ、一方向流通壁１１２に衝突して跳ね返され、時計回り方向へ流れ、時計回り方向における流入遮蔽壁１１１の端部の位置から排水部２へ流入する。また、図４における一方向流通壁１１２の、反時計回り方向の側の面（一方向流通壁１１２の左側の面）に、沿って流れてきた水は、当該面に沿って流れて排水部２へ流入し、その延長上にある縦リブ２１に沿って流れる。換言すれば、一方向流通壁１１２の壁面（図４における一方向流通壁１１２の左側の面）は、排水部２において流れる水による旋回流の旋回方向に沿って延びており、水を旋回させる方向と排水部２により水が旋回する方向とが同じである。このため、一方向流通壁１１２は、水が本体部１０の周縁部の一方向に流れるように水の流れを規制する。
【００３７】
排水枡１２０に流入する水が所定量であれば、縦リブ２１が本体部１０の内面を下方向に対して片方に傾斜しているので、本体部１０に流入した水の一部は、縦リブ２１に誘導されてヘアキャッチャー１内を旋回する方向Ｓに流れる。
【００３８】
縦リブ２１には本体部１０の内面側に向かって突出する突出部２４が設けられている。このため、髪の毛が、複数形成され互いに隣接する縦リブ２１の突出部２４の上にそれぞれ載ることで、髪の毛と縦リブ２１の平面部２１１との間に隙間が形成される。この隙間に水流が流れ込み、髪の毛を本体部１０の内面から浮かせる。縦リブ２１は、互いに等間隔に配置されているので、髪の毛がどの排水開口２３から流入しても、本体部１０の開口部１０ａのどの位置から流入しても、本体部１０の内面に貼りつきにくく、同じように旋回する。
【００３９】
突出部２４が本体部１０の内面側に向かって突出し、かつ貯水部３の上部へ連続しているため、水は縦リブ２１を乗り越えずに、縦リブ２１に沿って流れる。縦リブ２１に沿って流れる水は、排水部２の外へ流れにくく、本体部１０の内側、すなわち下方の貯水部３へ流れやすい。上述の通り、縦リブ２１は周方向の一方側に傾斜しているので、縦リブ２１に沿って水は旋回する方向Ｓへ流れる。なお、突出部２４は、平面部２１１から本体部１０の内側に向かって緩く湾曲しているので、汚れを落としやすい。
【００４０】
排水部２と貯水部３の間で導水部４が設けられる部分に対応する本体部１０の内面には、段差がないので、髪の毛が水流に乗って旋回しながら流れる。
【００４１】
一方、排水部２には排水開口２３が設けられているので、本体部１０に流入した水の多くは、排水開口２３から本体部１０の外側へ排水される。そして、水は本体部１０の外面に沿って下方へ流れ落ちる。本体部１０の外面における排水部２と貯水部３との間には、外面から突出する導水部４の受け面４１が設けられている。本体部１０の外面を伝う水の一部は、受け面４１に受け止められて導水開口４３へ誘導され、本体部１０の内側へ導水される。導水開口４３は排水開口２３と連続しているので、水は排水部２の下方にある貯水部３に流入する。貯水部３に流入する水量は、導水部４を設けない場合と比べて増加する。
【００４２】
導水部４から貯水部３へと水が流入する際、導水開口４３から排水開口２３を通じて外側から内側へ水が流入する。排水開口２３は隣接する縦リブ２１と縦リブ２１との間にあり、水は一方向に傾斜している縦リブ２１同士の間の排水開口２３を通るうちに、旋回流になって貯水部３に流れ込む。導水部４から導水された水が旋回する方向Ｓと、排水部２の内面に形成されている縦リブ２１の傾斜によって生じる水の旋回する方向Ｓは同じであるので、導水部４から流れ込む水が、縦リブ２１を伝って貯水部へ流れる旋回流に合流して、旋回流の流れがより強い渦になる。
【００４３】
受け面４１と、縦リブ２１の外側との間には連結部４２が形成され、縦リブ２１の外面と受け面４１の間を連結部４２が埋めており、無用な隙間が形成されていない。連結部４２における受け面４１の遠位端部から縦リブ２１の外面へ延びる辺と、縦リブ２１の外面とがなす角度は、鈍角θで、外側から拭きやすくなっている。
【００４４】
なお、貯水部３には、水抜き孔３３が設けられているので、浴室１００を使用していない間は、貯水部３の水も排水される。
【００４５】
本実施形態によれば、以下の効果が奏される。
本実施形態では、ヘアキャッチャー１を、周囲から洗い場排水口１０１ａに向かう水が流入する本体部１０を含んで構成し、本体部１０の周縁部から上方向へ突出するとともに、本体部１０の周縁部に沿って延びる流入遮蔽壁１１１と、流入遮蔽壁１１１から本体部１０の外方へ延び、水が周縁部の一方向に流れるように水の流れを規制する一方向流通壁１１２と、を含んで構成させた。
【００４６】
これにより、流入遮蔽壁１１１が洗い場から排水枡１２０へ流入した排水を堰き止め、排水枡１２０内の水の流れの大部分を一方向、具体的には、図４における時計回り方向とすることができる。このため、髪の毛を確実にヘアキャッチャー１内へ導くことができる。
【００４７】
また、本実施形態では、流入遮蔽壁１１１及び一方向流通壁１１２は、本体部１０から突出する把手１１を構成する。これにより、把手１１と、流入遮蔽壁１１１及び一方向流通壁１１２とを別個に設ける場合より、ヘアキャッチャー１の凹凸を少なくすることができる。このため、清掃性を損なうことなく、洗い場から排水枡１２０へ流入した排水を堰き止めて、排水枡１２０内の水の流れの大部分を一方向とすることができる。
【００４８】
また、本実施形態では、本体部１０は、複数の排水開口２３を有し、本体部１０に流入した水の一部を本体部１０の外へ排水する排水部２を有し、一方向流通壁１１２の壁面は、排水部２において流れる水による旋回流の旋回方向に沿って延びる。このため、一方向流通壁１１２に沿った方向へ流れた水が、縦リブ２１に沿って流れて、旋回流を容易に生じさせることが可能となる。
【００４９】
また、本実施形態では、ヘアキャッチャー１は、洗い場１０１と浴槽１０２とを有する浴室１００の洗い場排水口１０１ａに配置される。一方向流通壁１１２は、洗い場１０１と洗い場排水口１０１ａとを仕切るように配置される。このため、洗い場１０１から流れてきた水が直接本体部１０の内部へ流入することを抑えることが可能となる。これにより、一方向とされた水の流れが、洗い場１０１から流れてきた水の流れにより阻害されることを抑えることができる。
【００５０】
なお、本発明は上記実施形態に限定されるものではなく、本発明の目的を達成できる範囲での変形、改良等は本発明に含まれる。
図７は、他の実施形態におけるヘアキャッチャー１Ａの斜視図を示す。図７に示すように、他の実施形態では、流入遮蔽壁１１１及び一方向流通壁１１２は、複数設けられている。
【００５１】
具体的には、流入遮蔽壁１１１は、本体部１０の周縁部の全周のうちの４分の１にわたって延びており、平面視で、円形状を有する本体部１０の中心（図４参照）に対して点対称の位置関係での直径方向位置に一対で計２つ配置されている。これに伴い、一方向流通壁１１２、水平摘まみ壁１１３もそれぞれ２つずつ設けられている。これにより、一対の流入遮蔽壁１１１によって、旋回流を阻害する流れを極力抑えることが可能となる。
【００５２】
また、上記実施形態では、縦リブ２１は直線状に延びているが、これに限られない。縦リブは、本体部１０の周方向に沿って曲線状に並んでいてもよい。
また、上記実施形態では、本体部１０は、略円形状の開口部１０ａを有する略円錐状に形成されているが、これに限られない。水を流入可能に構成され、排水部及び貯水部を有するものであれば、開口部や全体の形状は適宜変更され得る。
また、本体部や流入遮蔽壁や一方向流通壁の構成や数は、本実施形態における本体部１０や流入遮蔽壁１１１や一方向流通壁１１２の構成や数に限定されない。
【００５３】
また、上記実施形態では、導水部４を本体部１０の外面にそって全周に突出するように設けたが、これに限られない。導水部は、水を本体部１０の外側から内側へ導入できればよく、例えば、周方向に沿って断続的に設けてもよい。また、本体部１０の上下方向に離間している横リブ２２のそれぞれに連続するように上下に複数設けてもよい。
【００５４】
また、上記実施形態では、受け面４１は、本体部１０の外面から略水平方向外側へ突出しているが、これに限られない。受け面４１は、本体部１０の外側上方から内側下方へ向かって下り傾斜するように配置してもよい。
【００５５】
また、上記実施形態では、突出部２４は、縦リブ２１の幅方向の一方の端部に形成したが、これに限られない。突出部２４は、縦リブ２１の幅方向の中央部に形成してもよく、両端部に形成してもよい。両端部に形成した場合には、縦リブ２１に沿って貯水部３へ流れる水量を増やすことができる。
【符号の説明】
【００５６】
１      ヘアキャッチャー
２      排水部
３      貯水部
４      導水部
１０    本体部
２１    縦リブ
２３    排水開口（開口）
４１    受け面
４２    連結部
１００    浴室
１０１    洗い場
１０１ａ    洗い場排水口
１０２    浴槽
１１１    流入遮蔽壁
１１２    一方向流通壁
１２０    排水枡
【図１】
2018053695.tif 000003
【図２】
2018053695.tif 000004
【図３】
2018053695.tif 000005
【図４】
2018053695.tif 000006
【図５】
2018053695.tif 000007
【図６】
2018053695.tif 000008
【図７】
2018053695.tif 000009